(57)【要約】【課題】  ＲＦＩＤラベルへの印字や電子情報の書き込み及び読み出しをする際に生じる静電気による不具合を解消する。【解決手段】  台紙４１のインレット４５の裏側面に、導電体４６をインレット４５の周囲から所定の間隔ｄを開け、かつ台紙４１の長手方向に沿って形成する。ラベルプリンタにより印字ラベル４２への印字及びＩＣチップ４３への情報の書き込みや読み出しを行う際、ＲＦＩＤラベル４０が静電気を生じても、その静電気を導電体４６を介してラベルプリンタの筐体側へ逃すことができる。【選択図】  図２
2006155414.tif 000002
【特許請求の範囲】
【請求項１】
ＩＣチップとそれに接続した平面状のアンテナからなるインレットが配置される台紙と、この台紙のインレットが配置される面に貼着される印字ラベルとを有するＲＦＩＤラベルであって、
前記台紙のインレットが配置される面、及び／又は前記台紙の裏面に、導電体が前記インレットから所定の間隔を開け、かつ前記台紙の長手方向に沿って形成されている
ことを特徴とするＲＦＩＤラベル。
【請求項２】
前記導電体は、前記インレットの周囲に形成されていることを特徴とする請求項１に記載のＲＦＩＤラベル。
【発明の詳細な説明】
【技術分野】
【０００１】
本発明は、電波を使用し非接触でデータの書き込みと読み出しとが可能なＲＦＩＤ（Ｒａｄｉｏ  Ｆｒｅｑｕｅｎｃｙ  ＩＤｅｎｔｉｆｉｃａｔｉｏｎ）ラベルに関する。
【背景技術】
【０００２】
ＲＦＩＤは、ＩＣチップとそれに接続した平面状のアンテナから構成されるインレット（フィルム状の基板）を有している。ＩＣチップは、記憶部、電源整流部、送信部、受信部の４つに区分され、それぞれが働きを分担して通信を行うようになっている。記憶部の容量は、８〜２０００バイトであり、何度でもデータの書き換えが行える。
【０００３】
通信手順としては、平面状のアンテナがリーダライタからの電波を受信すると
、共振作用により起電力が発生（電磁誘導等）し、ＩＣチップが起動してチップ内の情報を信号化し、アンテナから信号がリーダライタ側に発信される。リーダライタ側では、その信号をキャッチすると、データ処理を行うことで、ＲＦＩＤ側の情報を認識する。
【０００４】
ところで、ＩＣチップに記憶された内容は人間の視覚や従来のバーコードリーダでは読み取れないため、ＲＦＩＤをラベルやタグと一体化したＲＦＩＤラベルとし、そのラベルの表面に文字やバーコードを印字することで、人間の視覚、ＯＣＲ、バーコードリーダ等で読み取り可能とする利用形態が拡大しつつある。
【０００５】
一方、このＲＦＩＤラベルに印字を行うラベルプリンタは、印字手段の他にＲＦＩＤと通信する非接触通信手段  （リーダライタ）を備えている。また、そのリーダライタは、通信用アンテナを有しており、この通信用アンテナを用いてＲＦＩＤのアンテナと通信し、ＩＣチップに情報を書き込んだり、ＩＣチップに記録された情報を読み取ったりしている。
【０００６】
ところで、このようなＲＦＩＤラベルに対して上記のラベルプリンタにより、印字及びＩＣチップへの情報の書き込みを行う際、ラベルプリンタ内部ではＲＦＩＤラベルがゴムローラやガイド部材によって搬送されることになる。
【０００７】
その際、ＲＦＩＤラベルがゴムローラやガイド部材等に摺接したり、印字部のサーマルヘッド及びプラテンローラから熱や圧力を受けるため、静電気による破壊や断線、さらには接触不良等が生じてＲＦＩＤが故障してしまう可能性がある
。
【０００８】
ここで、特許文献１では、電気取着パッドを画成する第１の導電材料と、ラベル領域内に被着されかつ取着パッドを包囲する誘電材料と、誘電材料に被着されてアンテナを画成するとともに取着パッドに電気的に接続された第２の導電材料とを有する積層ラベルと、ラベル領域内に被着された膨張自在の材料とを備え、膨張自在の材料を膨張させることによりＩＣチップを収容するキャビティを、取着パッドを包囲して形成するように構成されているＲＦＩＤラベルを提案している。
【特許文献１】特公表２００２−５３５７５８号公報
【発明の開示】
【発明が解決しようとする課題】
【０００９】
ところで、上述した特許文献１に示されるＲＦＩＤラベルでは、積層ラベルが剥離自在のライナにシルクスクリーニング、すなわちスクリーン印刷（ｓｉｌｋ  ｓｃｒｅｅｎｉｎｇ）することにより形成されるため、基板を必要とせずに、しかもその形成の自動化が容易となるが、静電気対策が施されていない。
【００１０】
そのため、上述したラベルプリンタにより印字及びＩＣチップへの情報の書き込みやＩＣチップからの情報の読み出しを行う際、ＲＦＩＤラベルがガイドローラや他のガイド部材等に摺接したり、印字部のサーマルヘッド及びプラテンローラから熱や圧力を受けて静電気を帯びると、その静電気によりＩＣチップの破壊やコイルの断線等によるＲＦＩＤの故障を生じてしまう可能性がある。
【００１１】
また、ＲＦＩＤラベルが静電気を帯びると、ＲＦＩＤラベルの印字等に伴う搬送の際にガイドローラや他のガイド部材等に吸着してＲＦＩＤラベルの搬送スピードが変化してしまい、印字ずれやＩＣチップへの情報の書き込み不良及びＩＣチップからの情報の読み出しが不良が生じてしまうおそれがあるばかりか、用紙ジャムを招いてしまうことも予測される。
【００１２】
すなわち、本発明が解決しようとする問題点は、ラベルプリンタにより印字及びＩＣチップへの情報の書き込みやＩＣチップからの情報の読み出しを行う際に、静電気によりＩＣチップの破壊やコイルの断線等によるＲＦＩＤの故障を生じてしまうおそれがあるという点や、ＲＦＩＤラベルの印字等に伴う搬送の際に
、印字ずれや用紙ジャムを招いてしまうおそれがあるという点である。
【課題を解決するための手段】
【００１３】
本発明のＲＦＩＤラベルは、ＩＣチップとそれに接続した平面状のアンテナからなるインレットが配置される台紙と、この台紙のインレットが配置される面に貼着される印字ラベルとを有するＲＦＩＤラベルであって、前記台紙のインレットが配置される面、及び／又は前記台紙の裏面に、導電体が前記インレットから所定の間隔を開け、かつ前記台紙の長手方向に沿って形成されていることを特徴とする。
また、前記導電体は、前記インレットの周囲に形成することができる。
本発明のＲＦＩＤラベルでは、台紙のインレットが配置される面、及び／又は台紙の裏面に、導電体をインレットから所定の間隔を開け、かつ台紙の長手方向に沿って形成したので、ラベルプリンタにより印字ラベルへの印字及びＩＣチップへの情報の書き込みやＩＣチップからの情報の読み出しを行う際、ＲＦＩＤラベルが摺動・摩擦しても、発生する静電気を導電体を通じてラベルプリンタ側に設けた除電ブラシや除電ローラを介して筐体側へ逃すことができる。
【発明の効果】
【００１４】
本発明のＲＦＩＤラベルによれば、ＲＦＩＤラベルが静電気を帯びても、その静電気を導電体を介してラベルプリンタの筐体側へ逃すことができ、ＩＣチップの破壊やコイルの断線等によるＲＦＩＤの故障を防止することができ、さらには印字ずれやＩＣチップへの情報の書き込み不良及びＩＣチップからの情報の読み出し不良を防止することができるとともに、用紙ジャムの発生を防止することができる。
【発明を実施するための最良の形態】
【００１５】
本実施形態では、台紙のインレットが配置される面に、導電体をインレットから所定の間隔を開け、かつ台紙の長手方向に沿って形成し、ラベルプリンタにより印字ラベルへの印字及びＩＣチップへの情報の書き込みやＩＣチップからの情報の読み出しを行う際、ＲＦＩＤラベルが静電気を帯びても、その静電気を導電体を介してラベルプリンタの筐体側へ逃すようにすることで、ＩＣチップの破壊やコイルの断線等によるＲＦＩＤの故障を防止し、さらには印字ずれやＩＣチップへの情報の書き込み不良及びＩＣチップからの情報の読み出し不良を防止するとともに、用紙ジャムの発生を防止するようにした。
【００１６】
以下、本発明の実施の形態について説明する。
図１は、本発明のＲＦＩＤラベルに対して印字及びＩＣチップへの情報の書き込みを行うラベルプリンタの一例を示す図、図２は、本発明のＲＦＩＤラベルの一実施形態を示す外観斜視図、図３は、図２のＲＦＩＤラベルの内部構造を示す拡大斜視図、図４は、図２のＲＦＩＤラベルの構成を変えた場合の他の実施形態を示す斜視図、図５は、図２のＲＦＩＤラベルの構成を変えた場合のさらに他の実施形態を示す斜視図である。
【００１７】
図に示すラベルプリンタは、主として、供給部１０、リーダ／ライタ２０、印字部３０を備えている。
【００１８】
供給部１０の供給軸１１には、ロール状に巻回されたＲＦＩＤラベル４０が装着されている。ＲＦＩＤラベル４０は、印字部３０のプラテンローラ３１の回転駆動により供給軸１１から繰り出され、リーダ／ライタ２０を経て印字部３０に移送される。リーダ／ライタ２０と印字部３０との間には、センサ３４及びガイドローラ３３が設けられており、このセンサ３４によってＲＦＩＤラベル４０の後述の台紙４１の検出マーク（不図示）が検出される。印字部３０は、センサ３４が検出マークを検出したタイミングに基づいて、印字を開始する。
【００１９】
印字部３０は、対向配置されたプラテンローラ３１とサーマルヘッド３２を有している。プラテンローラ３１とサーマルヘッド３２との間には、供給部１０から繰り出されたＲＦＩＤラベル４０と、供給リール５０から繰り出されたインクリボン５１とが供給される。
【００２０】
そして、サーマルヘッド３２の熱によりインクリボン５１のインクを溶解することによりＲＦＩＤラベル４０にインクが転写されて印字が行われる。印字後のＲＦＩＤラベル４０は、取出口５３から取り出され、また印字後のインクリボン５１は、巻き取りリール５２によって巻き取られる。
【００２１】
リーダ／ライタ２０は、供給部１０と印字部３０との間に配設されており、アンテナ２１を備えている。アンテナ２１は、ＲＦＩＤラベル４０の搬送通路に近接して配置されている。
【００２２】
リーダ／ライタ２０は、このアンテナ２１と、ＲＦＩＤラベル４０の後述のアンテナ４４とを介してＩＣチップ４３と通信し、ＩＣチップ４３に情報を書き込んだり、ＩＣチップ４３から情報を読み取ったりする。
【００２３】
次に、ＲＦＩＤラベル４０について説明する。
図２及び図３に示すように、ＲＦＩＤラベル４０は、台紙４１と印字ラベル４２との間に、ＩＣチップ４３とそれに接続した平面状のアンテナ４４から構成されるインレット（フィルム状の基板）４５が所定の間隔で配置されている。なお、アンテナ４４にあっては、図２及び図３のようにコイル状に限らず、ＵＨＦ帯で使用されるコイル状以外の形状であってもよい。
【００２４】
また、台紙４１のインレット４５が配置される面には、アルミ等の導電部材からなる２本の導電体４６が台紙４１の長手方向に沿ってインレット４５を挟むように形成されている。ここで、導電体４６は、たとえばアルミ箔を台紙４１の長手方向に沿って貼着するか、蒸着あるいはカーボン等の導電インクによる印刷によって形成することができる。
【００２５】
また、台紙４１のインレット４５の裏面には、アルミ等の導電部材からなる２本の導電体４６が台紙４１の長手方向に沿ってインレット４５を挟むように形成されている。ここで、導電体４６は、たとえばアルミ箔を台紙４１の長手方向に沿って貼着するか、蒸着あるいはカーボン等の導電インクによる印刷によって形成することができる。
【００２６】
また、導電体４６とインレット４５との間隔ｄは、たとえば１ｃｍ以上とされている。これは、平面状のアンテナ４４とリーダ／ライタ２０のアンテナ２１との間で、電波により情報の書き込みと読み出しとが行われるとき、平面状のアンテナ４４における電波の送受信の影響を避けるためである。
【００２７】
また、台紙４１及び印字ラベル４２には、ＲＦＩＤラベル４０を一枚毎に切断できるようにミシン目４７が形成されている。なお、ラベルプリンタにカッターが搭載されている場合は、ミシン目４７の形成は不要である。
【００２８】
このような構成では、ＲＦＩＤラベル４０を製造する際、台紙４１のインレット４５が配置される面に、アルミ等の導電部材からなる導電体４６を台紙４１の長手方向に沿ってインレット４５を挟むように形成する。次いで、台紙４１上にインレット４５を所定の間隔をおいて配置した後、印字ラベル４２を台紙４１のインレット４５が配置される面に貼着する。その後、所定の間隔をおいて、ミシン目４７を形成する。
【００２９】
また、このような構成のＲＦＩＤラベル４０に対して、上述したラベルプリンタにより、印字や情報の書き込み／読み出しが行われる場合、図１に示したように、印字部３０のプラテンローラ３１の回転駆動によりＲＦＩＤラベル４０が供給軸１１から繰り出される。
【００３０】
このとき、リーダ／ライタ２０のアンテナ２１と、ＲＦＩＤラベル４０のアンテナ４４とを介してＩＣチップ４３との通信が行われ、ＩＣチップ４３への情報の書き込みや、ＩＣチップ４３からの情報の読み取りが行われる。
【００３１】
次いで、リーダ／ライタ２０と印字部３０との間のセンサ３４により、ＲＦＩＤラベル４０の台紙４１の検出マーク（不図示）が検出されると、その検出したタイミングに基づいてサーマルヘッド３２により印字ラベル４２へのインクリボン５１を介しての印字が行われる。
【００３２】
次いで、印字後のＲＦＩＤラベル４０は、取出口５３から取り出され、台紙４１及び印字ラベル４２に形成されているミシン目４７に沿って切断することにより、ＲＦＩＤラベル４０を一枚毎に分離することができる。
【００３３】
ここで、ＲＦＩＤラベル４０がガイドローラ３３や他のガイド部材等に摺接したり、サーマルヘッド３２及びプラテンローラ３１から熱や圧力を受けると、ＲＦＩＤラベル４０に静電気が帯電するが、その静電気はＲＦＩＤラベル４０の台紙４１のインレット４５が配置される面に形成されている導電体４６を介してラベルプリンタの筐体側へ逃すことができる。
【００３４】
このように、本実施形態では、台紙４１のインレット４５が配置される面に、導電体４６をインレット４５から所定の間隔ｄを開け、かつ台紙４１の長手方向に沿って形成し、ラベルプリンタにより印字ラベル４２への印字及びＩＣチップ４３への情報の書き込みやＩＣチップ４３からの情報の読み出しを行う際、ＲＦＩＤラベル４０が静電気を帯びても、その静電気を導電体４６を介してラベルプリンタの筐体側へ逃すようにした。
【００３５】
これにより、ＲＦＩＤラベル４０に対する印字や情報の書き込み及び読み出しがＲＦＩＤラベル４０に静電気が帯びない状態で行われるため、ＩＣチップ４３の破壊や平面状のアンテナ４４の断線等によるＲＦＩＤの故障を防止することができる。
【００３６】
また、印字等に伴う搬送の際に、ＲＦＩＤラベル４０がガイドローラ３３や他のガイド部材等に吸着してＲＦＩＤラベル４０の搬送スピードが変化してしまうことがなくなり、印字ずれやＩＣチップ４３への情報の書き込み不良及びＩＣチップ４３からの情報の読み出し不良を防止することができるとともに、用紙ジャムの発生をも防止することができる。
【００３７】
また、本実施形態では、台紙４１のインレット４５が配置される面に導電体４６を形成するようにしているので、印字ラベル４２の印字領域が狭められるといった印字面への影響も回避できる。
【００３８】
なお、本実施形態では、導電体４６を２本とした場合について説明したが、インレット４５から所定の間隔ｄだけ空けることができるのであれば、導電体４６を３本以上としてもよい。
【００３９】
また、本実施形態では、台紙４１のインレット４５が配置される面に、アルミ等の導電部材からなる２本の導電体４６を台紙４１の長手方向に沿ってインレット４５を挟むように形成した場合について説明したが、この例に限らず、図４に示すように、一枚のＲＦＩＤラベル４０のインレット４５毎に台紙４１の一方の辺と他方の辺とに跨るように１本の導電体４６ａを台紙４１の長手方向に沿って形成してもよい。
【００４０】
この場合、導電体４６ａとインレット４５との間隔ｄは、上記同様に、平面状のアンテナ４４における電波の送受信の影響を避けるために、たとえば１ｃｍ以上とすることが好ましい。
【００４１】
また、図５に示すように、台紙４１のインレット４５の裏面において、導電体４６ｂをインレット４５の周囲にたとえば１ｃｍ以上の間隔ｄを空けて形成するようにしてもよい。導電体４６ｂを形成する場合、たとえばアルミ箔をインレット４５の周囲に貼着するか、蒸着あるいはカーボン等の導電インクによる印刷を同様にインレット４５の周囲に施すことで形成することができる。
【００４２】
また、以上の各実施形態では、導電体４６，４６ａ，４６ｂを台紙４１のインレット４５の裏面に形成した場合について説明したが、この例に限らず、台紙４１のインレット４５側の面に形成してもよい。
【００４３】
いずれにせよ、ラベルプリンタ側の図示しない除電ブラシや除電ローラ等の接地部材と、ＲＦＩＤラベル４０側の導電体４６，４６ａ，４６ｂとの導通を妨げないように、これらの導電体４６，４６ａ，４６ｂの配置位置を考慮すべきである。
【００４４】
また、センサ３４によって検出される台紙４１の裏面の図示しない検出マークの検出を妨げないように導電体４６，４６ａ，４６ｂの配置位置を考慮すべきである。
【００４５】
また、導電体４６，４６ａ，４６ｂにあっては、導電体４６，４６ａ，４６ｂを台紙４１のインレット４５が配置される面と台紙４１の裏面との両方に形成してもよい。
【図面の簡単な説明】
【００４６】
【図１】本発明のＲＦＩＤラベルに対して印字及びＩＣチップへの情報の書き込みを行うラベルプリンタの一例を示す図である。
【図２】本発明のＲＦＩＤラベルの一実施形態を示す外観斜視図である。
【図３】図２のＲＦＩＤラベルの内部構造を示す拡大斜視図である。
【図４】図２のＲＦＩＤラベルの構成を変えた場合の他の実施形態を示す斜視図である。
【図５】図２のＲＦＩＤラベルの構成を変えた場合のさらに他の実施形態を示す斜視図である。
【符号の説明】
【００４７】
２０  リーダ／ライタ
２１  アンテナ
３０  印字部
３１  プラテンローラ
３２  サーマルヘッド
３３  ガイドローラ
４０  ＲＦＩＤラベル
４１  台紙
４２  印字ラベル
４３  ＩＣチップ
４４  アンテナ
４５  インレット
４６  導電体
４６ａ  導電体
４６ｂ  導電体
【図１】
2006155414.tif 000003
【図２】
2006155414.tif 000004
【図３】
2006155414.tif 000005
【図４】
2006155414.tif 000006
【図５】
2006155414.tif 000007